【事件の表示】
　平成１０年特許願第３７１５１３号「縦型電気掃除機」拒絶査定不服審判事件〔平成１２年　７月１１日出願公開、特開２０００−１８９３５８号〕について、次のとおり審決する。
【結　論】
　本件審判の請求は、成り立たない。
【理　由】
第１．手続の経緯
　本願は、平成１０年１２月２５日の出願であって、平成１４年１０月１８日付けで手続補正がなされ、平成１４年１２月２０日付けで拒絶査定がなされ、これに対し、平成１５年１月２３日付けで、拒絶査定に対する審判請求がなされるとともに、さらに、平成１５年２月２４日付けで手続補正がなされたものである。
　
第２．平成１５年２月２４日付けの手続補正についての補正却下の決定
［補正却下の決定の結論］
　平成１５年２月２４日付けの手続補正を却下する。
　
［理由］
１．上記手続補正は、特許請求の範囲を、次のように補正するものである。
　「【請求項１】　一端側に吸込口を形成すると共に他端側に杆部を取り付けた掃除機本体と、前記杆部の端部に設けられた把持部とを有する縦型電気掃除機において、前記掃除機本体の他端側及び把持部の掃除機本体寄りに第一及び第二のコード巻き付け用のフックを設け、前記第二のフックは、前記把持部の下方に取り付けられる基部と、前記基部の先端側に一体に形成されたコード保持部及び前記第一のフックと逆向きになる鈎状の引掛部とで構成され、前記コード保持部は、前記基部の先端面と、前記基部の左右より下方に延長した左右側壁と、前記左右側壁にそれぞれの先端に内側に向かって形成した突起とに囲まれると共に、前記突起間より電源コードが挿入する通路が形成され、かつ前記基部の先端面が、前記掃除機本体から離れるほど前記杆部及び把持部から離れるように前記杆部の軸方向に対して斜め下向き方向に形成したことを特徴とする縦型電気掃除機。
　【請求項２】　前記把持部に該把持部の軸方向と直交して回動軸が形成され、該回動軸に前記第二のフックの基部の基端面が回動自在に設けられていることを特徴とする請求項１記載の縦型電気掃除機。」
　
２．補正の目的、新規事項の追加の有無
　この補正は、平成１４年１０月１８日付けの手続補正書により補正された特許請求の範囲を、次のとおり補正するものである。
（１）請求項１を削除する。
（２）請求項２の「コード巻き付け用のフックを設け、このフックにコード保持部を形成すると共に、このコード保持部を、掃除機本体から離れるほど杆部及び把持部から離れるように前記杆部の軸方向に対して斜め下向きに」を「第一及び第二のコード巻き付け用のフックを設け、前記第二のフック
は、前記把持部の下方に取り付けられる基部と、前記基部の先端側に一体に形成されたコード保持部及び前記第一のフックと逆向きになる鈎状の引掛部とで構成され、前記コード保持部は、前記基部の先端面と、前記基部の左右より下方に延長した左右側壁と、前記左右側壁にそれぞれの先端に内側に向かって形成した突起とに囲まれると共に、前記突起間より電源コードが挿入する通路が形成され、かつ前記基部の先端面が、前記掃除機本体から離れるほど前記杆部及び把持部から離れるように前記杆部の軸方向に対して斜め下向き方向に」とするとともに、請求項２を請求項１とする。
（３）新たな請求項２を、「【請求項２】　前記把持部に該把持部の軸方向と直交して回動軸が形成され、該回動軸に前記第二のフックの基部の基端面が回動自在に設けられていることを特徴とする請求項１記載の縦型電気掃除機。」とする。
　上記（１）〜（３）の補正について検討する。
　上記（１）の補正は、請求項の削除を目的とするものである。
　上記（２）の補正は、発明特定事項を直列的に付加するものであり、ま
た、補正前の請求項２及び補正後の請求項１に記載された発明の産業上の利用分野及び解決しようとする課題が同一であると認められ、特許請求の範囲の減縮を目的とするものである。また、請求項２を請求項１にすることは、上記（１）の請求項１を削除する補正に伴うものにすぎず、請求項の削除を目的とするものに含まれる。
　上記（３）の補正は、補正前の請求項２を減縮する補正後の請求項１に、発明特定事項を直列的に付加するものであり、補正前の請求項２及び補正後の新たな請求項２に記載された発明の産業上の利用分野及び解決しようとする課題が同一であると認められ、特許請求の範囲の減縮を目的とするものである。
  したがって、上記補正は、特許法第１７条の２第４項第１号及び第２号の請求項の削除及び特許請求の範囲の減縮を目的とするものに該当する。
　そして、本件補正は、新規事項を追加するものでもない。
　　
３．独立特許要件
　そこで、本件補正後の上記請求項１に記載されている事項により特定される発明（以下、「本願補正発明」という。）が特許出願の際独立して特許を受けることができるものであるか（平成１５年改正前特許法第１７条の２第５項において準用する同法第１２６条第４項の規定に適合するか）について以下に検討する。
　　
３−１．引用例の記載事項
　（１）原査定の拒絶の理由に引用された引用文献１（特開平８−１２６５９４号公報、以下「刊行物１」という。）には、次の事項が記載されてい
る。
ア．「【請求項１】 掃除機本体部と、その下部に水平軸回りに回動可能に連結された床ノズル部と、前掃除機本体部の上部に形成した差込口に差し込まれるハンドル部と、上下一対のフック部から成るコード巻回手段とを備えたアップライト型電気掃除機において、前記ハンドル部の上部側に前記コード巻回手段の上側フック部が設けられるとともに、このコード巻回手段の下側フック部は、前記差込口に差し込まれる嵌合部を有し、この嵌合部が、これに形成された貫通口を通じて前記差込口に差し込まれる前記ハンドル部の外周面と前記差込口の内周面とによって支持されていることを特徴とするアップライト型電気掃除機。」（特許請求の範囲）
イ．「【０００１】【産業上の利用分野】本発明は、ハンドル部にコードの巻回収納するためのフック手段を備えたアップライト型の電気掃除機に関する。
【０００２】【従来の技術】アップライト型の電気掃除機は、掃除機本体部と、その下部に水平軸回りに回転可能に連結された床ノズル部と、掃除機本体部の上部に差し込まれるパイプ状のハンドル部とを備える。そして、このようなアップライト型の電気掃除機においては、前記ハンドル部の取手部に形成された上側フック部と、前記掃除機本体部の上部側、或いはハンドル下部に取り付けられた下側フック部とからなるコード巻回手段によって、電源コードを巻回収納するようになっている（実開昭６３−１２３２５２号公報、及び実開昭６３−２５９４３号公報参照：Ａ４７Ｌ５／２８）。」（段落【０００１】、【０００２】）
ウ．「【００１０】本発明のアップライト型の電気掃除機は、図１に示すように、掃除機本体部１と、その下部に紙面に直角な水平軸回りに回転可能に連結された床ノズル部２と、掃除機本体部１の上部に差し込まれるハンドル部３とを備える。図では、ハンドル部３を掃除機本体部１から離脱させた状態を示している。この状態でハンドル部３を図中ａ方向に真っ直ぐ向けて掃除機本体部１の上部に形成した差込口８（図２参照）に差し込み、ねじ４を図中ｂ方向から差し込んでねじ止めすることにより、ハンドル部３は掃除機本体部１に固定される。
【００１１】コード巻回手段７は、図２にも示すように、上下一対のフック部５，６によって構成されている。上側のフック部５は、前記ハンドル部３の上部側に形成された取手部３ａの下端部に、ねじ１０によって取り付けられている。一方、コード巻回手段７の下側のフック部６は、図３にも示すように、ハンドル部３が差し込まれる差込口８に取り付けられている。
【００１２】下側のフック部６は、下側のフック部６の平面図及び側面図である図４の（ａ），（ｂ）および、下側フック部６の底面図および縦断側面図を示す図５の（ａ），（ｂ）に示すように、本体部６ａ、本体部６ａから突出するフック突出体６ｂ、本体部６ａからその下方に垂下された一対の嵌合爪体６ｃ，６ｄ、および前記本体部６ａの中央部に形成された貫通口６ｅから成り、これらが一体成形されて成るものである。」（段落【００１０】〜【００１２】）
エ．「【００１５】このように、コード巻回手段７の下側フック部６は、掃除機本体部１の上部に形成された前記差込口８に差し込まれるため、上下フック部５，６の間隔を長くでき、コード１１の巻回数を少なくして巻取作業の軽減を図ることができる。そして、下側フック部６に形成された嵌合部としての嵌合爪体６ｃ，６ｄは、前記差込口８に差し込まれる前記ハンドル部３の外周面と前記差込口８の内周面とによって支持され、巻回収納時における下側フック部６に加わる力は前記差込口８で受けられるため、ねじ止めで下側フック部を固定する構造に比べて高い強度を確保することができる。」（段落【００１５】）
オ．「【００１８】図６は、コード巻回手段７にコード１１が巻回されている状態を示したアップライト型電気掃除機の斜視図である。この斜視図で、掃除機本体部１の図示しない集塵室から引き出されている集塵ホース１５
は、床ノズル部２に形成されている接続穴１６に接続されている。接続穴１６は、床ノズル部２の底面図である図１２に示しているように、吸込口１７に連通している。」（段落【００１８】）
カ．図２には、ハンドル部３の上部側端部に形成された取手部３ａの下端部の側方に、ねじ１０によって取り付けられ、かつ、下側のフック部６のフック突出体６ｂと逆向きになる鈎状の引掛部を有する上側のフック部５が記載されている。
　上記ア〜カの記載事項を総合すると、刊行物１には、
「掃除機本体部と、掃除機本体部の下部に水平軸回りに回転可能に連結された床ノズル部に形成された吸引口と、掃除機本体部の上部に差し込まれたハンドル部の上部側端部に形成された取手部とを有するアップライト型電気掃除機において、掃除機本体部の上部に形成された差込口に下側のフック部を取り付け、取手部の下端部に上側のフック部を取り付け、上側のフック部は、取手部の下端部の側方にねじによって取り付けられ、下側フック部のフック突出体と逆向きになる鈎状の引掛部を有するアップライト型電気掃除
機。」（以下、「刊行物１記載の発明１」という。）及び
「掃除機本体部と、掃除機本体部の下部に水平軸回りに回転可能に連結された床ノズル部に形成された吸引口と、掃除機本体部の上部に差し込まれたハンドル部の上部側端部に形成された取手部とを有するアップライト型電気掃除機において、掃除機本体部の上部に形成された差込口に下側のフック部を取り付け、取手部に上側のフック部を取り付けてなるアップライト型電気掃除機。」（以下、「刊行物１記載の発明２」という。）が記載されていると認められる。
　　
（２）特開平８−１７３３６２号公報（以下、「刊行物２」という。）に
は、次の事項が記載されている。
キ．発明が解決しようとする課題として「【０００９】さらに、スティック型電気掃除機は吸込部が掃除機本体の下部に連結されているため、掃除機本体から引き出されたコードが掃除機本体に絡まったり、掃除機本体の近くでたまって吸込部の移動を妨げるなど、掃除動作に支障を来すおそれがあるので、第２ハンドル部に第１ハンドル部および第２ハンドル部に沿ってコードを導くためのフックが設けられているが、そのフックへの着脱がたいへん面倒であるとともに、コードの着脱の繰り返し等によってコードの保持が不安定になるなど問題があった。」（段落【０００９】）
ク．課題を解決するための手段として「【００１２】この発明に係る電気掃除機は、ハンドルの超音波溶着により結合した部分にコードを保持するフックを設けたものである。
【００１３】また、フックをハンドルの把持部の近傍に設けたものである。
【００１４】さらに、フックをほぼＬ字状の係止片を対向させて構成し、両係止片の間に形成された開口部の本体側を把持部側より広く形成したものである。」（段落【００１２】〜【００１４】）
ケ．作用として「【００１６】また、この発明に係る電気掃除機は、ハンドルの超音波溶着により結合した部分にコードを保持するフックを設けることにより、コードを確実に保持できる。
【００１７】また、フックをハンドルの把持部の近傍に設けることにより、コードのフックへの着脱が容易に行え、特にコードの取り外しを片手で簡単に行える。
【００１８】さらに、フックをほぼＬ字状の係止片を対向させて構成し、両係止片の間に形成された開口部の本体側を把持部側より広く形成することにより、コードのフックへの着脱を一層容易にできる。」（段落【００１６】〜【００１８】）
コ．「【００２４】実施例２．図７はこの発明の第２の実施例の要部の拡大図、図８はその平面図、図９は図８のＢ−Ｂ断面図である。図において、１７は第１の実施例の本体１の収容室に収容されるリボン状のコードで、一方の幅ｄ２が他方の幅ｄ１に比べて幅広に形成されている。１８は第１の実施例のハンドル９の右ケース１０および左ケース１１に対向するように設けられた断面Ｌ字状の係止片１８ａ，１８ｂによって構成されたフックで、図１０示すように、ハンドル９の把持部１３を手で握った時に、その手の例えば人差し指がフック１８の下側あたりに届くようなハンドル９の下面側の位置に設けられている。また、係止片１８ａ，１８ｂの間には開口部Ｄが形成されており、その開口部Ｄの上方側（ハンドル９の把持部１３側）Ｄ１はコード１７の幅狭ｄ１側がやっと通るくらいに形成され、開口部Ｄの途中から下方（本体１側）が漸拡状に広がっている。つまり、上方側Ｄ１は下方側Ｄ２より狭く（Ｄ１＜Ｄ２）形成されている。
【００２５】このように構成したこの実施例においては、掃除を開始する場合、まず、本体１からコード１７を引き出し、コード１７の幅広ｄ２側がフック１８の開口部Ｄに対して垂直になるように傾けて、コード１７の幅狭ｄ１側を開口部Ｄに挿入する。この時、フック１８の係止片１８ａ，１８ｂによって形成された開口部Ｄの下方側Ｄ２が幅広に形成されているので、コード１７を幅広ｄ２側から挿入させると、コード１７の挿入が一層容易である。ついで、コード１７の幅広ｄ２がフック１８の開口部Ｄに対して平行にはるようにコード１７を動かしてフック１８内に保持し、本体１とフック１８との間にコード１７の大きな弛みができないようにコード１７をハンドル９の把持部１３方向に引っ張ってハンドル９の下面側に沿わせる。そして、コード１７の電源プラグをコンセントに接続し、掃除を開始する。」（段落【００２４】、【００２５】）
　
３−２．対比・判断
　本願補正発明と刊行物１記載の発明１とを対比すると、その機能・構造から、後者の「掃除機本体部」は前者の「掃除機本体」に相当し、後者の「掃除機本体部」の「下部」及び「上部」は、「下部」及び「上部」が「掃除機本体部」の「一端側」及び「他端側」ということができるから、前者の「掃除機本体」の「一端側」及び「他端側」に相当する。後者の「水平軸回りに回転可能に連結された床ノズル部に形成された吸引口」は前者の「吸引口」に相当し、後者の「ハンドル部」、ハンドル部の「上部側端部」、「取手
部」は前者の「杆部」、杆部の「端部」、「把持部」に相当し、後者の「アップライト型電気掃除機」は前者の「縦型電気掃除機」に相当する。
　そうすると、後者の「掃除機本体部と、掃除機本体部の下部に水平軸回りに回転可能に連結された床ノズル部に形成された吸引口と、掃除機本体部の上部に差し込まれたハンドル部の上部側端部に形成された取手部とを有するアップライト型電気掃除機において、」は、「差し込まれた」が「取り付けられた」、「形成された」が「設けられた」ともいえるから、前者の「一端側に吸込口を形成すると共に他端側に杆部を取り付けた掃除機本体と、前記杆部の端部に設けられた把持部とを有する縦型電気掃除機において、」に相当するといえる。　
  また、後者の「下側のフック部」、「上側のフック部」は前者の「第一のコード巻き付け用のフック」、「第二のコード巻き付け用のフック」に相当する。後者の掃除機本体部の上部に「形成された差込口に下側のフック部を取り付け、」は、「形成された差込口に」「取り付け」ることは「設け」るともいえるから、前者の掃除機本体の他端側に「第一のコード巻き付け用のフックを設け」に相当する。
　また、後者の「取手部の下端部に上側のフック部を取り付け、」は、「取手部の下端部に」が「取手部の掃除機本体部寄りに」といえるとともに、「取り付け」るは「設け」るともいえるから、前者の「把持部の掃除機本体寄りに第二のコード巻き付け用のフックを設け、」に相当する。
　後者の「上側のフック部は、取手部の下端部の側方にねじによって取り付けられ、下側フック部のフック突出体と逆向きになる鈎状の引掛部を有す
る」は、「取手部の下端部の側方」が前者の「把持部の下方に」に相当し、「取手部の下端部の側方にねじによって取り付けられ」る「上側のフック
部」の「取手部の下端部に」に係合する部分は、基部ということができ、「下側フック部のフック突出体と逆向きになる鈎状の引掛部」は、前者の「第一のフックと逆向きになる鈎状の引掛部」に相当するから、前者の「前記第二のフックは、前記把持部の下方に取り付けられる基部と、前記基部の先端側に一体に形成された、前記第一のフックと逆向きになる鈎状の引掛部とで構成され、」に相当するといえる。
　したがって、両者は、
「一端側に吸込口を形成すると共に他端側に杆部を取り付けた掃除機本体
と、前記杆部の端部に設けられた把持部とを有する縦型電気掃除機におい
て、前記掃除機本体の他端側及び把持部の掃除機本体寄りに第一及び第二のコード巻き付け用のフックを設け、前記第二のフックは、前記把持部の下方に取り付けられる基部と、前記基部の先端側に一体に形成された、前記第一のフックと逆向きになる鈎状の引掛部とで構成された縦型電気掃除機。」である点で一致し、次の点で相違する。
 【相違点】
　本願補正発明は、前記第二のフックは、前記基部の先端側に一体に形成されたコード保持部を有し、前記コード保持部は、前記基部の先端面と、前記基部の左右より下方に延長した左右側壁と、前記左右側壁にそれぞれの先端に内側に向かって形成した突起とに囲まれると共に、前記突起間より電源コードが挿入する通路が形成され、かつ前記基部の先端面が、前記掃除機本体から離れるほど前記杆部及び把持部から離れるように前記杆部の軸方向に対して斜め下向き方向に形成しているのに対し、刊行物１記載の発明１は、そのようなコード保持部を有していない点
　　
３−３．相違点の判断
　刊行物２には、
（１）従来から、スティック型電気掃除機（本願補正発明の「縦型電気掃除機」に相当する）は吸込部が掃除機本体の下部に連結されているため、掃除機本体から引き出されたコードが掃除機本体に絡まったり、掃除機本体の近くでたまって吸込部の移動を妨げるなど、掃除動作に支障を来すおそれがあるので、ハンドル部に沿ってコードを導くためのフックが設けられていること（上記３−１．（２）のキの段落【０００９】を参照）
（２）実施例２のフックは、一対の断面Ｌ字状の係止片によって構成され、係止片の間には開口部が形成されており、その開口部の上方側（ハンドルの把持部側）はコードの幅狭側がやっと通るくらいに形成され、開口部の途中から下方（本体側）が漸拡状に広がっているいること（上記３−１．（２）のコの段落【００２４】を参照）
（３）実施例２のフックは、ハンドルの把持部を手で握った時に、その手の例えば人差し指がフックの下側あたりに届くようなハンドルの下面側の位置に設けられていること（上記３−１．（２）のコの段落【００２４】を参
照）
　が示されている。
　刊行物１記載の発明１は、掃除機本体にコードが収納される形式のものではなく、掃除機本体の上部とハンドルの取手部の下部に取り付けられた下
側、上側のフック部にコードを巻回して収納するものであるが、掃除を行うとき、これらのフック部からはずしたコードが、掃除機本体部に絡まった
り、掃除機本体部の近くでたまって吸込部の移動を妨げるなど、掃除動作に支障を来すおそれがあることは刊行物２記載のスティック型電気掃除機と同様である。
　そうだとすると、このような掃除動作に支障を来すおそれを除くために、刊行物２に示された上記（２）のフックを上記（３）のようにハンドルの下面側の位置に設けて、ハンドルに沿ってコードを導くようにすることは、当業者であれば容易に考え付くことであり、その際にハンドルの下面側の位置を、ハンドル部に形成された取手部の下端部の側方（杆部に設けられた把持部の掃除機本体寄りの下方）に取り付けられた上側フック部の下面で、掃除機本体部から離れるほどハンドル部及び取手部から離れる部分にして、この部分にフックを設けるようにして、上記相違点における本願補正発明の特定事項にすることは、当業者であれば適宜なし得たものである。
　また、上記相違点における本願補正発明の特定事項による効果も、当業者が刊行物１記載の発明１及び刊行物２に記載された発明から予測でき範囲のものであり、格別なものではない。　　
  したがって、本願補正発明は、刊行物１記載の発明１及び刊行物２に記載された発明から、当業者が容易に発明をすることができたものであると認められるので、特許法第２９条第２項の規定により、特許出願の際独立して特許を受けることができない。
　
３−４．むすび
　したがって、本件補正は、平成１５年改正前特許法第１７条の２第５項において準用する同法第１２６条第４項の規定に違反するので、同法第１５９条第１項において読み替えて準用する同法第５３条第１項の規定により却下すべきものである。
　
第３．本願発明
　平成１５年２月２４日付けの手続補正は、上記のとおり却下されたので、本願の請求項１に係る発明（以下、「本願発明」という）は、平成１４年１０月１８日付けの手続補正書により補正された特許請求の範囲の請求項１に記載された事項により特定される以下のとおりのものである。
「 一端側に吸込口を形成すると共に他端側に杆部を取り付けた掃除機本体と、前記杆部の端部に設けられた把持部とを有する縦型電気掃除機におい
て、前記掃除機本体の他端側及び把持部にコード巻き付け用のフックを設けると共に、前記掃除機本体の他端側に設けたフックを、掃除機本体に凹状に形成された収納部に対して出没自在に構成し、前記出没自在なフックに出没用ストッパーを設けたことを特徴とする縦型電気掃除機。」
　
第４．引用例の記載事項
  原査定の拒絶の理由に引用された引用文献１及びその記載事項は、前記第２．３の３−１の（１）に記載したとおりである。
　
第５．対比
　本願発明と刊行物１記載の発明２とを対比すると、その機能・構造から、後者の「掃除機本体部」は前者の「掃除機本体」に相当し、後者の「掃除機本体部」の「下部」及び「上部」は、「下部」及び「上部」が「掃除機本体部」の「一端側」及び「他端側」ということができるから、前者の「掃除機本体」の「一端側」及び「他端側」に相当する。後者の「水平軸回りに回転可能に連結された床ノズル部に形成された吸引口」は前者の「吸引口」に相当し、後者の「ハンドル部」、ハンドル部の「上部側端部」、「取手部」は前者の「杆部」、杆部の「端部」、「把持部」に相当し、後者の「アップライト型電気掃除機」は前者の「縦型電気掃除機」に相当する。
　そうすると、後者の「掃除機本体部と、掃除機本体部の下部に水平軸回りに回転可能に連結された床ノズル部に形成された吸引口と、掃除機本体部の上部に差し込まれるハンドル部の上部側端部に形成された取手部とを有するアップライト型電気掃除機において、」は、「差し込まれる」が「取り付けられる」ともいえるから、前者の「一端側に吸込口を形成すると共に他端側に杆部を取り付けた掃除機本体と、前記杆部の端部に設けられた把持部とを有する縦型電気掃除機において、」に相当するといえる。
　また、後者の「下側のフック部」、「上側のフック部」は前者の「コード巻き付け用のフックに相当する。後者の掃除機本体部の上部に「形成された差込口に下側のフック部を取り付け、」は、「形成された差込口に」「取り付け」ることは「設け」るともいえるから、前者の前記掃除機本体の他端側に「コード巻き付け用のフックを設け」に相当する。また、後者の「取手部に上側のフック部を取り付け」は、「取り付け」ることは「設け」るともいえるから、前者の「把持部にコード巻き付け用のフックを設ける」に相当する。
　したがって、両者は、
「 一端側に吸込口を形成すると共に他端側に杆部を取り付けた掃除機本体と、前記杆部の端部に設けられた把持部とを有する縦型電気掃除機におい
て、前記掃除機本体の他端側及び把持部にコード巻き付け用のフックを設けてなる縦型電気掃除機。」である点で一致し、次の点で相違する。
【相違点】
　本願発明は、掃除機本体の他端側に設けたフックを、掃除機本体に凹状に形成された収納部に対して出没自在に構成し、前記出没自在なフックに出没用ストッパーを設けているのに対し、刊行物１記載の発明２は、そのようになっていない点
　
第６．判断
  電気掃除機において、コード巻き付け用のフックを凹状に形成された収納部に出没自在に設け、出没自在なフックに出没用ストッパーを設けるようにすることは従来周知の技術である（例えば、特開昭６２−８４７３１号公報（収納状態に付勢する突起１ｄ、この突起１ｄに係合する回動軸１２ａに形成された突起１２ｄ、保持部１ｂ，１ｃに当接する角度規制ストッパー１２ｂ、１２ｃを参照）を参照）。
　そうすると、この従来周知の技術を刊行物１記載の発明２における下側のフックに用いて、掃除機本体に凹状に形成された収納部に対して出没自在に構成し、フックに出没用ストッパーを設けるようにして相違点における本願発明の特定事項にすることは、当業者であれば適宜なし得たものである。
　また、相違点における本願発明の特定事項による効果も当業者が刊行物１記載の発明２及び上記従来周知の技術から予測できる範囲のものであり、格別なものではない。
　
第７．むすび
　以上のとおり、本願発明は、刊行物１記載の発明２及び従来周知の技術に基づいて当業者が容易に発明をすることができたものであるから、特許法第２９条第２項の規定により、特許を受けることができない。
　よって、結論のとおり審決する。